(57)【要約】      （修正有）【課題】棒状のグリップに螺旋状に巻き付けられる帯状のテープ本体を備えたグリップテープにおいて、表面クッション層の上面に、芳香成分、消臭成分、抗菌成分の何れかを単体で、或いは組み合わせて配合したインクで印刷を施したことで、芳香の発散、消臭、抗菌の何れかの効果、あるいは複合した効果を得ると同時に、装飾性に優れたグリップテープを提供する。【解決手段】グリップテープ１の表面クッション層３ａの上面に、芳香成分、消臭成分、抗菌成分の何れかを単体で、或いは組み合わせて配合したインクで印刷２を施すことにより、香気によるテニスプレー時の集中力の向上、リラックス効果、汗による悪臭の消臭、抗菌を得ると同時に、印刷２の柄２やカラーをその効果に適した柄や色にすることで装飾的な効果を高め、小ロット生産可能な、実用上極めて優れた効果を奏するグリップテープを提供。【選択図】図１
0003110545.tif 000002
【実用新案登録請求の範囲】
【請求項１】
棒状のグリップに螺旋状に巻き付けられる帯状のテープ本体を備えたグリップテープにおいて、テープ本体の手に接する表面側に、芳香成分、消臭成分、抗菌成分の何れかを単体で、或いは組み合わせて配合したインクで印刷を施したことを特徴とするグリップテープ。
【請求項２】
前記、印刷は芳香成分、消臭成分、抗菌成分の何れかを単体で、或いは組み合わせて配合したインクで施した印刷と、前記で選択された成分とは異なる成分を単体で、或いは組み合わせて配合したインクで施した印刷とを、テープ本体の手に接する表面側に複数箇所施し共存させたことを特徴とする請求項１に記載のグリップテープ。
【請求項３】
前記、芳香成分、消臭成分、抗菌成分はマイクロカプセル化されていることを特徴とする請求項１及び２に記載のグリップテープ。
【請求項４】
前記グリップーテープの手に接する表面側に施した印刷は、少なくとも該グリップテープの手に接する表面側が全て覆われないように施したものであることを特徴とする請求項１乃至３に記載のグリップテープ。
【考案の詳細な説明】
【技術分野】
【０００１】  本考案は、ゴルフクラブ、各種球技用ラケット、野球用バット、釣竿、ホッケー用ステック等の棒状のグリップに螺旋状に巻き付けられる帯状のテープ本体を備えたグリップテープに関する。
【背景技術】
【０００２】  従来から、ゴルフクラブ、各種球技用ラケット、野球用バット、釣竿、ホッケー用ステック等の棒状のグリップには、帯状のテープ本体を備えたグリップテープを螺旋状に巻き付けたものが知られている。これらのグリップテープには、例えば、特開平６−３１９８３４号公報（特許文献１）に示すように、帯状の不織布の表面に発泡ポリウレタンをコーディングしてなるテープ本体の発泡ポリウレタン表面から前記不織布に至る針状の多数の孔を形成したことで汗などを効果的に吸収し、滑りの発生を防止したものが知られている。【０００３】  また、特開平９−７５４８０号公報（特許文献２）に示すように、帯状の不織布の片側表面に発泡ポリウレタン層を貼り合わせてなるテープ本体に多数のパンチング孔を形成して構成し、テープ本体に抗菌液を付着し、或いは発泡ポリウレタン層の表面及び内部に付着する等して含有することで汗などの水分を迅速に吸収するようにすると同時に、このような水分の存在によるカビや細菌の発生を抑止することが可能なものが知られている。【０００４】  更に、実公平６−２８１４２号公報（特許文献３）に示すように、酸化物系の微粉末脱臭剤を含有するかさ高で通気性のシート状担体と表面被覆材とで、運動具グリップを包被自在なシート状担体を内袋とした二重袋とするとともに、前記微粉末脱臭剤はシート状担体の原料高分子に一旦被膜されるも活性種存在雰囲気下に曝されて該被膜が破壊されていることで、運動具のグリップに被せてグリップに付いた嫌な臭いを脱臭して、手に臭いが移るということを防止するものや、特開２００４−１１５７５６号公報（特許文献４）に示すように、筆記具、釣り竿、ラケット、自転車のハンドル、ドライバーなどの工具類等の弾性把持部材、衝撃吸収シートまたはマッサージ具などの弾性部材に関するもので、気泡を有する弾性粒体と弾性樹脂とからなるとともに、香料を弾性粒体及び、または弾性樹脂に混入したり、含浸させたりすることで、腰のある柔らかさを得ると同時に香りを発するようにしたものが知られている。【０００５】
【特許文献１】  特開平６−３１９８３４号公報
【特許文献２】  特開平９−７５４８０号公報
【特許文献３】  実公平６−２８１４２号公報
【特許文献４】  特開２００４−１１５７５６号公報
【考案の開示】
【考案が解決しようとする課題】
【０００６】  しかしながら、前記した特許文献１のグリップテープにおいては、汗などを効果的に吸収するものの、該グリップテープを巻いたテニスラケット等を使用直後にバッグに収納したりすると、吸収した汗などの水分が蒸発せず、カビや細菌が発生し異臭が発生したり、グリップテープの表面に白い班点模様が出る等使用者に不快感を与えるなど衛生面で問題があった。【０００７】  特許文献２によれば、汗などの水分を迅速に吸収するようにすると同時に、このような水分の存在によるカビや細菌の発生を抑止するように、不織布に抗菌液を含有して構成されているが、単にカビによるや細菌の発生を抑止して衛生を保つことのみが目的であった。【０００８】  特許文献３によれば、運動具のグリップに被せてグリップに付いた嫌な臭いを脱臭して、手に臭いが移るということを防止するものであるが、使用の度に着脱する必要があり煩雑なものであった。【０００９】  特許文献４によれば、衝撃吸収シートとして応用できる弾性部材に、香料を混入したり、含浸させたりすることで、腰のある柔らかさを得ると同時に香りを発するようにしたものであるが、シートは原反として製造する必要があるため、ある程度のロットを生産することになる。従って必然的に混入したり含浸させる香料の量が多く必要となり、他種類の香りを用意するにはその度に原反を製造する必要があり、少量多品種生産には向かないものであった。【００１０】  本考案は、このような問題を解消し、芳香、消臭、抗菌効果、及びに装飾性に優れるとともに、少量で多品種の生産が可能な実用上極めて効果の高い、グリップテープを提供することを目的とする。
【課題を解決するための手段】
【００１１】  上記の課題は本考案の請求項１によれば、棒状のグリップに螺旋状に巻き付けられる帯状のテープ本体を備えたグリップテープにおいて、テープ本体の手に接する表面側に、芳香成分、消臭成分、抗菌成分の何れかを単体で、或いは組み合わせて配合したインクで印刷を施したことで解決される。【００１２】  請求項２によれば、前記、印刷は芳香成分、消臭成分、抗菌成分の何れかを単体で、或いは組み合わせて配合したインクで施した印刷と、前記で選択された成分とは異なる成分を単体で、或いは組み合わせて配合したインクで施した印刷とを、テープ本体の手に接する表面側に複数箇所施し共存させたことでを解決される。【００１３】  請求項３によれば、前記、芳香成分、消臭成分、抗菌成分の成分はマイクロカプセル化されていることで解決される。【００１４】  請求項４によれば、前記グリップーテープの手に接する表面側に施した印刷は、少なくとも該グリップテープの手に接する表面側が全て覆われないように施したことで解決される。
【考案の効果】
【００１５】  本考案によれば、棒状のグリップに螺旋状に巻き付けられる帯状のテープ本体を備えたグリップテープにおいて、テープ本体の手に接する表面側に、芳香成分、消臭成分、抗菌成分の何れかを単体で、或いは組み合わせて配合したインクで印刷を施したことで、香気を発散してテニスプレイ時の緊張やストレスの緩和や集中力を高める効果、消臭成分によりグリップテープが吸収した汗などによる悪臭を消臭する効果、抗菌成分によりグリップテープが吸収した汗などによる細菌の繁殖やカビの発生を抑制する効果を、それぞれ単独、或いは複合して発揮することが可能になった。また、このようにこれら成分を配合したインクで印刷を施したことにより、ベースとなるグリップテープ本体を用意すれば、目的に応じた効果の成分を配合したインクで印刷を施すだけで済むので、小ロットで多品種の効果のグリップテープを生産することが可能になるとともに、印刷の特性上デザインの自由度が高いため、芳香、消臭、抗菌に適した柄や色で印刷を施すことが可能であり、装飾性にも優れたグリップテープを提供することが可能になった。
【考案を実施させるための最良の形態】
【００１６】  次に本考案のグリップテープを、テニスラケットのグリップテープに適用して、図１から図５に示す実施の形態に基づいて詳細に説明する。図１は、本考案のグリップテープの全体を示した図で（１）はグリップテープ、（２）は前記グリップテープ（１）の表面クッション層に施した印刷である。グリップテープ（１）は図２に示されるように、表面クッション層（３ａ）と、裏面クッション層（３ｂ）とで挟まれた中間層の不織布（４）とから構成されている。表面クッション層（３ａ）及び裏面クッション層（３ｂ）は、ウレタン樹脂で１〜１００ミクロン程度の微細な気孔を有するミクロポーラス多孔体として形成されたものであって、耐水性、耐食性、成型性、通気性、クッション性等に優れ、適度な伸縮性と弱い粘着性を有することでテニスラケットのグリップに巻き付けたとき確実に固定することができ必要に応じて離脱容易であるとともにテニスプレー時の滑り止め、衝撃吸収効果を得ることが可能なものである。また、ミクロポーラス多孔体で通気性を有することからテニスプレー時の手の汗を速やかに中間層の不織布（４）に透過吸収させる作用で、汗でグリップが滑りやすくなる事を防止するとともに、テニスプレー終了後も不織布（４）に吸収された汗を速やかに外部に発散することが可能なものである。
【００１７】  第１実施例において、グリップテープ（１）の表面クッション層（３ａ）には、芳香成分、消臭成分、抗菌成分の何れかを単体で、或いは組み合わせて配合したインクで印刷（２）を施した。該印刷（２）はシルク印刷でグリップテープ（１）の表面クッション層（３ａ）に印刷され、前記各々の成分を単体で印刷（２）のインクに配合させて印刷（２）を施した場合、例えば芳香成分であればローズマリー、ユーカリプタス、ペパーミント、ローズウッド、ベルガモット等の香油や香料を配合すればその香気によって、テニスプレー時の集中力を向上させたり、ラベンダー、マージョラム、イランイラン、カモマイル等の香油や香料であればテニスプレー時の緊張、不安を緩和してリラックス効果が期待できるものである。また、消臭成分であれば、クロロフィルや柿渋タンニン等を配合することで、グリップテープが吸収したテニスプレー時の汗や汚れ等による悪臭の発生を防止する事が可能となる。さらに、抗菌成分であれば、緑茶ポリフェノールの一種であるカテキンや、ヒノキチオール等のテルペン類を配合することで、グリップテープが吸収したテニスプレー時の汗や汚れ等による細菌の発生を抑制して、悪臭やカビ等の発生を防止することが可能となる。
【００１８】  また、前記した成分を１種類のインク中に組み合わせて配合させた場合では、芳香成分と消臭成分、芳香成分と抗菌成分、消臭成分と抗菌成分、芳香成分と消臭成分と抗菌成分といったように組み合わせることで、香気を発散させながら汗などによる悪臭を消臭したり、衛生面を重視して香気は発散させずに、消臭と同時に細菌の発生抑制といった効果を、１種類のインクで印刷（２）を施すことで複合した効果が得ることが可能になった。
【００１９】  このように構成された第１実施例においては、印刷（２）のインクに芳香成分、消臭成分、抗菌成分の何れかを単体で、或いは組み合わせて配合したので、それそれの成分の効果、或いは複合した効果を得ることが可能であるとともに、グリップテープ（１）に印刷（２）を施すため、グリップテープ（１）のカラーに対して印刷（２）の柄やカラーをその効果に適した柄や色でデザインを行うことで、装飾的な効果を得ることも可能になったものである。
【００２０】  次に、本考案の第２実施例においては、印刷（２）を、芳香成分、消臭成分、抗菌成分の何れかを単体で、或いは組み合わせ選択して配合した印刷と、前記で選択された成分とは異なる成分を単体で、或いは組み合わ選択して配合した印刷とを、グリップテープの手に接する表面側に、すなわち表面クッション層（３ａ）に複数施し共存させた。
【００２１】  図３にその一例を示す。（２ａ）は芳香成分をインクに配合して印刷した部分、（２ｂ）は（２ａ）とは異なる成分（本実施例では抗菌成分とした）をインクに配合して印刷した部分で、異なる成分を配合したインクを用いて複数箇所にそれぞれを離間させて印刷を施した。このように構成したことにより、香気の発散と抗菌作用を同時に得ることを可能とした。また、成分によっては１種類のインクにこれら成分を混合して配合すると化学反応により異なる性状を呈したり、化学反応により効果が消失するなどの問題があっても、このように構成することによって、それぞれの成分の効果を得ることが可能になるものである。
【００２２】  また、図４に示すように、（２ｃ）は芳香成分と消臭成分を１種類のインクに配合して印刷した部分、（２ｄ）は（２ｃ）とは異なる成分（本実施例では抗菌成分とした）を別なインクに配合させて印刷した部分で、前記同様、異なる成分を配合したインクを用いて複数箇所にそれぞれを離間させて印刷を施したことで、香気の発散と消臭効果、そして抗菌効果を同時に得ることが可能となり、前述のように化学反応の問題も回避しながら、それぞれの成分の効果を得ることが可能になるものである。
【００２３】  このように構成された第２実施例においては、印刷（２ｃ）と（２ｄ）は、異なる成分を配合したインクで、それぞれを離間させて印刷を施したので、香気の発散と消臭効果、そして抗菌効果を同時に得ながら、かつ化学反応の問題も回避することが可能となったものである。また、印刷（２ｃ）と（２ｄ）の柄やカラーをその効果に適したデザインとすることにより、装飾的な効果をより高めることが可能になったものである。尚、本実施例で印刷（２ｃ）と（２ｄ）は、異なる成分を含有させたとしたが、例えば両者が芳香成分であっても異なる香気を発散すれば良いものであり、それぞれの成分を適宜選択配合した数種類のインクで印刷をほどこすことにより、非常にバリエーションに富んだ効果を奏することが可能になるものである。
【００２４】  第３実施例においては、図５に示すように前記、芳香成分、消臭成分、抗菌成分を、マイクロカプセル化（２ｅ）して印刷のインクに配合した。このように構成したことで、本考案のグリップテープ（１）を巻き付けたテニスラケットのグリップを把持するなどして摩擦や外部からの圧力が加わったときに、マイクロカプセルが破壊され内包された芳香成分、消臭成分、抗菌成分が放散されそれぞれの効果を発するようにしたものである。このように構成することで、それぞれの成分が自然に発散されることを抑止でき、長期間にわたってこれらの成分の効果を発揮することが可能になるものである。
【００２５】  第４実施例においては、グリップテープ（１）の手に接する表面側、すなわち表面クッション層（３ａ）に印刷した柄を、少なくとも表面クッション層（３ａ）を全て覆わないように印刷して施した（図１及び３、図４参照）。このように構成することで、グリップテープ（１）自体が持つ吸汗性や弱い粘着性による滑り止めの効果等の特性を損なうことなく、かつ印刷（２）自体が若干の凸状となるためこれによる滑り止め効果も更に生じることが可能となったものである。
【００２６】  以上のように構成された本考案のグリップテープは、グリップテープ（１）に芳香成分、消臭成分、抗菌成分を単独、あるいは複数配合したインクで印刷を施したり、前記成分を様々なパターンで組み合わせて配合したインクを複数用意して複数箇所に印刷を施すことによって、バリエーションに富んだ効果を得ることが可能なグリップテープを提供することが可能になった。またこのようにこれら成分を印刷で施したことにより、ベースのグリップテープを用意すれば、印刷のインクを変更するだけで少ロットで多品種の様々な効果を奏するグリップテープを容易に生産することが可能になった。さらに、印刷の特性上デザインの自由度が高いため、芳香、消臭、抗菌に適したイメージの柄や色で印刷を施すことが可能であり、装飾性にも優れるものである。かつ前記成分をマイクロカプセル化すれば揮散することが極めて少なくなるので、長期にわたってその効果を享受することが可能であるとともに、該印刷で表面クッション層（３ａ）を全て覆わないようにすることで、グリップテープ（１）自体が持つ吸汗性や滑り止めの効果等の特性を損なわず、かつ更なる滑り止め効果を得ることが可能な実用上極めて優れた効果を奏するグリップテープを提供することが可能になった。
【図面の簡単な説明】
【００２７】
【図１】本考案の第１実施例を示した図である。
【図２】グリップテープのＡ−Ａ線拡大断面図である。
【図３】本考案の第２実施例を示した図である。
【図４】本考案の第２実施例を示した図である。
【図５】本考案の第３実施例を示した図である。
【符号の説明】
【００２８】（１）    グリップテープ
（２）    印刷
（２ａ）  印刷
（２ｂ）  印刷
（２ｃ）  印刷
（２ｄ）  印刷
（２ｅ）  マイクロカプセル
（３ａ）  表面クッション層
（３ｂ）  裏面クッション層
（４）    不織布
【図１】
0003110545.tif 000003
【図２】
0003110545.tif 000004
【図３】
0003110545.tif 000005
【図４】
0003110545.tif 000006
【図５】
0003110545.tif 000007
【手続補正書】
【提出日】平成16年11月9日(2004.11.9)
【手続補正１】
【補正対象書類名】実用新案登録請求の範囲
【補正対象項目名】全文
【補正方法】変更
【補正の内容】
【実用新案登録請求の範囲】
【請求項１】
棒状のグリップに螺旋状に巻き付けられる帯状のテープ本体を備えたグリップテープにおいて、該グリップテープは表面クッション層と中間層と裏面クッション層を有し、表面クッション層の上面に、芳香成分、消臭成分、抗菌成分の何れかを単体で、或いは組み合わせて配合したインクで印刷を施したことを特徴とするグリップテープ。
【請求項２】
前記、印刷は芳香成分、消臭成分、抗菌成分の何れかを単体で、或いは組み合わせて配合したインクで施した印刷と、前記で選択された成分とは異なる成分を単体で、或いは組み合わせて配合したインクで施した印刷とを、前記、表面クッション層の上面に、複数箇所施し共存させたことを特徴とする請求項１に記載のグリップテープ。
【請求項３】
前記、インクに配合された芳香成分、消臭成分、抗菌成分はマイクロカプセル化されていることを特徴とする請求項１及び２に記載のグリップテープ。
【請求項４】
前記、表面クッション層の上面に施した印刷は、少なくとも該表面クッション層の上面が全て覆われないように施したのものであることを特徴とする請求項１乃至３に記載のグリップテープ。
【手続補正２】
【補正対象書類名】明細書
【補正対象項目名】００１１
【補正方法】変更
【補正の内容】
【００１１】  上記の課題は本考案の請求項１によれば、棒状のグリップに螺旋状に巻き付けられる帯状のテープ本体を備えたグリップテープにおいて、該グリップテープは表面クッション層と中間層と裏面クッション層を有し、表面クッション層の上面に、芳香成分、消臭成分、抗菌成分の何れかを単体で、或いは組み合わせて配合したインクで印刷を施したことで解決される。
【手続補正３】
【補正対象書類名】明細書
【補正対象項目名】００１２
【補正方法】変更
【補正の内容】
【００１２】  請求項２によれば、前記、印刷は芳香成分、消臭成分、抗菌成分の何れかを単体で、或いは組み合わせて配合したインクで施した印刷と、前記で選択された成分とは異なる成分を単体で、或いは組み合わせて配合したインクで施した印刷とを、前記、表面クッション層の上面に、複数箇所施し共存させたことで解決される。
【手続補正４】
【補正対象書類名】明細書
【補正対象項目名】００１３
【補正方法】変更
【補正の内容】
【００１３】  請求項３によれば、前記、インクに配合された芳香成分、消臭成分、抗菌成分はマイクロカプセル化されていることで解決される。
【手続補正５】
【補正対象書類名】明細書
【補正対象項目名】００１４
【補正方法】変更
【補正の内容】
【００１４】  請求項４によれば、前記、表面クッション層の上面に施した印刷は、少なくとも該表面クッション層の上面が全て覆われないように施したことで解決される。
【手続補正６】
【補正対象書類名】明細書
【補正対象項目名】００１５
【補正方法】変更
【補正の内容】
【００１５】  本考案によれば、棒状のグリップに螺旋状に巻き付けられる帯状のテープ本体を備えたグリップテープにおいて、該グリップテープは表面クッション層と中間層と裏面クッション層を有し、表面クッション層の上面に、芳香成分、消臭成分、抗菌成分の何れかを単体で、或いは組み合わせて配合したインクで印刷を施したことで、香気を発散してテニスプレイ時の緊張やストレスの緩和や集中力を高める効果、消臭成分によりグリップテープが吸収した汗などによる悪臭を消臭する効果、抗菌成分によりグリップテープが吸収した汗などによる細菌の繁殖やカビの発生を抑制する効果を、それぞれ単独、或いは複合して発揮することが可能になった。また、このようにこれら成分を配合したインクで印刷を施したことにより、ベースとなるグリップテープ本体を用意すれば、目的に応じた効果の成分を配合したインクで印刷を施すだけで済むので、小ロットで多品種の効果のグリップテープを生産することが可能になるとともに、印刷の特性上デザインの自由度が高いため、芳香、消臭、抗菌に適した柄や色で印刷を施すことが可能であり、装飾性にも優れたグリップテープを提供することが可能になった。
【手続補正７】
【補正対象書類名】明細書
【補正対象項目名】００１６
【補正方法】変更
【補正の内容】
【００１６】  次に本考案のグリップテープを、テニスラケットのグリップテープに適用して、図１から図５に示す実施の形態に基づいて詳細に説明する。図１は、本考案のグリップテープの全体を示した図で（１）はグリップテープ、（２）は前記グリップテープ（１）の表面クッション層の上面に施した印刷である。グリップテープ（１）は図２に示されるように、表面クッション層（３ａ）と、裏面クッション層（３ｂ）とで挟まれた不織布からなる中間層（４）とから構成されている。表面クッション層（３ａ）及び裏面クッション層（３ｂ）は、ウレタン樹脂で１〜１００ミクロン程度の微細な気孔を有するミクロポーラス多孔体として形成されたものであって、耐水性、耐食性、成型性、通気性、クッション性等に優れ、適度な伸縮性と弱い粘着性を有することでテニスラケットのグリップに巻き付けたとき確実に固定することができ必要に応じて離脱容易であるとともにテニスプレー時の滑り止め、衝撃吸収効果を得ることが可能なものである。また、ミクロポーラス多孔体で通気性を有することからテニスプレー時の手の汗を速やかに不織布からなる中間層（４）に透過吸収させる作用で、汗でグリップが滑りやすくなる事を防止するとともに、テニスプレー終了後も中間層（４）に吸収された汗を速やかに外部に発散することが可能なものである。
【手続補正８】
【補正対象書類名】明細書
【補正対象項目名】００１９
【補正方法】変更
【補正の内容】
【００１９】  このように構成された第１実施例においては、印刷（２）のインクに芳香成分、消臭成分、抗菌成分の何れかを単体で、或いは組み合わせて配合したので、それそれの成分の効果、或いは複合した効果を得ることが可能であるとともに、グリップテープ（１）の表面クッション層（３ａ）の上面に印刷（２）を施すため、グリップテープ（１）のカラーに対して印刷（２）の柄やカラーをその効果に適した柄や色でデザインを行うことで、装飾的な効果を得ることも可能になったものである。
【手続補正９】
【補正対象書類名】明細書
【補正対象項目名】００２０
【補正方法】変更
【補正の内容】
【００２０】  次に、本考案の第２実施例においては、印刷（２）を、芳香成分、消臭成分、抗菌成分の何れかを単体で、或いは組み合わせ選択して配合した印刷と、前記で選択された成分とは異なる成分を単体で、或いは組み合わせ選択して配合した印刷とを、グリップテープの手に接する表面側に、すなわち表面クッション層（３ａ）の上面に複数施し共存させた。
【手続補正１０】
【補正対象書類名】明細書
【補正対象項目名】００２４
【補正方法】変更
【補正の内容】
【００２４】  第３実施例においては、図５に示すように前記、インクに配合された芳香成分、消臭成分、抗菌成分を、マイクロカプセル化（２ｅ）して印刷のインクに配合した。このように構成したことで、本考案のグリップテープ（１）を巻き付けたテニスラケットのグリップを把持するなどして表面クッション層（３ａ）の上面に施された印刷に、摩擦や外部からの圧力が加わったときに、マイクロカプセルが破壊され内包された芳香成分、消臭成分、抗菌成分が放散されそれぞれの効果を発するようにしたものである。このように構成することで、それぞれの成分が自然に発散されることを抑止でき、長期間にわたってこれらの成分の効果を発揮することが可能になるものである。
【手続補正１１】
【補正対象書類名】明細書
【補正対象項目名】００２６
【補正方法】変更
【補正の内容】
【００２６】  以上のように構成された本考案のグリップテープは、グリップテープ（１）の表面クッション層（３ａ）の上面に芳香成分、消臭成分、抗菌成分を単独、あるいは複数配合したインクで印刷を施したり、前記成分を様々なパターンで組み合わせて配合したインクを複数用意して複数箇所に印刷を施すことによって、バリエーションに富んだ効果を得ることが可能なグリップテープを提供することが可能になった。またこのようにこれら成分を印刷で施したことにより、ベースのグリップテープを用意すれば、印刷のインクを変更するだけで少ロットで多品種の様々な効果を奏するグリップテープを容易に生産することが可能になった。さらに、印刷の特性上デザインの自由度が高いため、芳香、消臭、抗菌に適したイメージの柄や色で印刷を施すことが可能であり、装飾性にも優れるものである。かつ前記成分をマイクロカプセル化すれば揮散することが極めて少なくなるので、長期にわたってその効果を享受することが可能であるとともに、該印刷で表面クッション層（３ａ）の上面を全て覆わないようにすることで、グリップテープ（１）自体が持つ吸汗性や滑り止めの効果等の特性を損なわず、かつ更なる滑り止め効果を得ることが可能な実用上極めて優れた効果を奏するグリップテープを提供することが可能になった。
【手続補正１２】
【補正対象書類名】明細書
【補正対象項目名】００２８
【補正方法】変更
【補正の内容】
【００２８】      （１）    グリップテープ
（２）    印刷
（２ａ）  印刷
（２ｂ）  印刷
（２ｃ）  印刷
（２ｄ）  印刷
（２ｅ）  マイクロカプセル
（３ａ）  表面クッション層
（３ｂ）  裏面クッション層
（４）中間層
【手続補正書】
【提出日】平成17年3月11日(2005.3.11)
【手続補正１】
【補正対象書類名】手続補正書
【補正対象項目名】手続補正１３
【補正方法】削除
【補正の内容】